(57)【要約】【課題】信号光の伝送品質の劣化を防止する。【解決手段】第１の光路１および第２の光路３には、分岐手段４によって分岐された伝送路からの波長多重信号光が入力される。分岐挿入手段２は、波長多重信号光を分岐・挿入する。第２の光路３は、分岐挿入手段２が着脱可能な光路である。スイッチ手段６は、第１の光路１と第２の光路３とから出力される波長多重信号光の一方を光増幅手段５に出力する。光増幅手段５は、スイッチ手段６から出力される波長多重信号光を増幅し、後段の回路へ出力する。監視制御手段７は、当該光伝送装置および他の光伝送装置の警報情報を収集し、収集した警報情報に基づいて第２の光路３からの波長多重信号光を光増幅手段５に入力するようにスイッチ手段６を制御する。【選択図】図１
2008104008.tif 000002
【特許請求の範囲】
【請求項１】
波長多重信号光を伝送する光伝送装置において、
第１の光路と、
前記波長多重信号光を分岐・挿入する分岐挿入手段が着脱可能な第２の光路と、
伝送路から受信した前記波長多重信号光を前記第１の光路と前記第２の光路とに分岐して出力する分岐手段と、
前記第１の光路と前記第２の光路とから出力される前記波長多重信号光の一方を光増幅手段に出力するスイッチ手段と、
当該光伝送装置および他の光伝送装置の警報情報を収集し、前記警報情報に基づいて前記第２の光路からの前記波長多重信号光を前記光増幅手段に入力するように前記スイッチ手段を制御する監視制御手段と、
を有することを特徴とする光伝送装置。
【請求項２】
前記監視制御手段は、前記第２の光路から出力される前記波長多重信号光を前記光増幅手段に入力するように前記スイッチ手段を制御した後に前記警報情報を受信した場合には、前記第１の光路から出力される前記波長多重信号光を前記光増幅手段に入力するように前記スイッチ手段を制御することを特徴とする請求項１記載の光伝送装置。
【請求項３】
前記監視制御手段は、前記第２の光路から出力される前記波長多重信号光を前記光増幅手段に入力するように前記スイッチ手段を制御するとき、その旨の切り替え情報を前記他の光伝送装置に送信することを特徴とする請求項１記載の光伝送装置。
【請求項４】
前記スイッチ手段は、入力側に前記第１の光路と前記第２の光路とが接続され、出力側に前記光増幅手段と前記波長多重信号光の光レベルを検出する光レベル検出手段とが接続された２×２スイッチであることを特徴とする請求項１記載の光伝送装置。
【請求項５】
前記監視制御手段は、前記分岐挿入手段が装着された前記第２の光路と前記光レベル検出手段とを接続するように前記２×２スイッチを制御して前記分岐挿入手段の出力の前記光レベルを検出し、検出した前記光レベルと前記警報情報とに基づいて、前記第２の光路と前記光増幅手段とを接続するように前記２×２スイッチの切り替えを制御することを特徴とする請求項４記載の光伝送装置。
【発明の詳細な説明】
【技術分野】
【０００１】
本発明は光伝送装置に関し、特に波長多重信号光を伝送する光伝送装置に関する。
【背景技術】
【０００２】
光伝送システムでは、ある地域において、システム敷設当初通信需要がゼロで、その後の地域開発によって急速に通信需要が増えるような場合がある。このような通信需要に対応するため、当該地域に対し、分岐・挿入（ADD/DROP）機能を有する光伝送装置を設置しておき、通信需要が発生したときに、分岐・挿入機能を有効にする方法がある（例えば、特許文献１参照）。
【０００３】
また、光伝送装置には、コスト低減を図るために、当初、光波長の分岐・挿入機能（分岐挿入部）を持たない構成から、運用後、必要に応じて分岐挿入部を追加できる構成に変更できるものがある。この光伝送装置では、分岐挿入部を持つ構成に変更する際、信号断になる時間を極力短くする（５０ｍｓ程度）ことが要求され、そのため、追加される分岐挿入部の後段ルートに光スイッチなどを配して、瞬時に分岐・挿入機能に切り替えることができるようにしている。
【０００４】
図１２は、分岐挿入部を追加できる光伝送装置のブロック構成図である。図に示すように光伝送装置は、カプラ１０１、分岐挿入部１０２、および光スイッチ１０３を有している。
【０００５】
カプラ１０１は、光ネットワークから受信したＷＤＭ（Wavelength Division Multiplexing）の信号光を光路Ａ１０１と光路Ａ１０２とに分岐して出力する。光スイッチ１０３は、光路Ａ１０１，Ａ１０２からの一方の信号光を後段へ出力する。分岐挿入部１０２は、信号光を分岐・挿入し、光路Ａ１０１に脱着可能となっている。
【０００６】
信号光の分岐・挿入が必要でない場合、光伝送装置には、分岐挿入部１０２を取り付けない。光スイッチ１０３は、光路Ａ１０２からの信号光を後段へと出力するように制御する。
【０００７】
光伝送装置の運用を開始してから信号光の分岐・挿入が必要となった場合、分岐挿入部１０２を図に示すように光路Ａ１０１に装着する。光スイッチ１０３は、分岐挿入部１０２からの信号を後段へと出力するようにする。
【０００８】
このように、図の光伝送装置では、分岐挿入部１０２を取り付けた後、光スイッチ１０３を光路Ａ１０２から光路Ａ１０１側に切り替えることによって、瞬時にＩＬＡ（In-Line Amplifier）構成からＯＡＤＭ（Optical Add Drop Multiplexer）構成に切り替え、信号断の時間を短くすることができる。なお、分岐挿入部１０２を備えない構成をＩＬＡ構成と呼び、分岐挿入部１０２を備えた構成をＯＡＤＭ構成と呼ぶ。
【特許文献１】特開２００４−２９７２３５号公報
【発明の開示】
【発明が解決しようとする課題】
【０００９】
しかし、光伝送装置をＩＬＡ構成からＯＡＤＭ構成へ切り替えたとき、当該光伝送装置の状態、当該光伝送装置とともにネットワークを構成している構成切り替えを行わない他の光伝送装置の状態によっては信号光の伝送品質が低下するという問題点があった。
【００１０】
例えば、図１２の光伝送装置において、分岐挿入部１０２に異常があるにもかかわらず構成切り替えを行った場合、信号断が生じ伝送品質が低下する。また、構成切り替えを行わない他の光伝送装置の分岐挿入部で信号劣化が生じているにもかかわらず、当該光伝送装置で構成切り替えを行うと、伝送品質が低下する。
【００１１】
本発明はこのような点に鑑みてなされたものであり、当該光伝送装置および他の光伝送装置の警報情報を収集し、収集した警報情報に基づいて構成切り替えを行い、伝送品質の劣化を防止することができる光伝送装置を提供することを目的とする。
【課題を解決するための手段】
【００１２】
本発明の一実施態様では上記問題を解決するために、図１に示すような波長多重信号光を伝送する光伝送装置において、第１の光路１と、波長多重信号光を分岐・挿入する分岐挿入手段２が着脱可能な第２の光路３と、伝送路から受信した波長多重信号光を第１の光路１と第２の光路３とに分岐して出力する分岐手段４と、第１の光路１と第２の光路３とから出力される波長多重信号光の一方を光増幅手段５に出力するスイッチ手段６と、当該光伝送装置および他の光伝送装置の警報情報を収集し、警報情報に基づいて第２の光路３からの波長多重信号光を光増幅手段５に入力するようにスイッチ手段６を制御する監視制御手段７と、を有することを特徴とする光伝送装置が提供される。
【００１３】
このような光伝送装置によれば、当該光伝送装置および他の光伝送装置の警報情報を収集し、収集した警報情報に基づいてスイッチ手段６を切り替える。
【発明の効果】
【００１４】
本発明の光伝送装置では、当該光伝送装置および他の光伝送装置の警報情報を収集し、収集した警報情報に基づいてスイッチ手段を切り替えるようにした。これによって、伝送品質の劣化を防止することができる。
【発明を実施するための最良の形態】
【００１５】
以下、本発明の原理を図面を参照して詳細に説明する。
図１は、光伝送装置の概要を示した図である。光伝送装置は、図に示すように第１の光路１、分岐挿入手段２、第２の光路３、分岐手段４、光増幅手段５、スイッチ手段６、および監視制御手段７を有している。
【００１６】
分岐手段４は、伝送路から受信した波長多重信号光を第１の光路１と第２の光路３とに分岐して出力する。
第１の光路１および第２の光路３には、分岐手段４によって分岐された波長多重信号光が入力される。
【００１７】
分岐挿入手段２は、波長多重信号光を分岐・挿入する。第２の光路３は、分岐挿入手段２が着脱可能な光路である。
スイッチ手段６は、第１の光路１と第２の光路３とから出力される波長多重信号光の一方を光増幅手段５に出力する。
【００１８】
光増幅手段５は、スイッチ手段６から出力される波長多重信号光を増幅し、後段の回路へと出力する。
監視制御手段７は、当該光伝送装置および他の光伝送装置の警報情報を収集し、警報情報に基づいて第２の光路３からの波長多重信号光を光増幅手段５に入力するようにスイッチ手段６を制御する。
【００１９】
例えば、当該光伝送装置を、分岐・挿入の機能を有さない装置から分岐・挿入の機能を有する装置にする場合、分岐挿入手段２を第２の光路３の間に装着して、第２の光路３からの波長多重信号光が光増幅手段５に入力されるようにスイッチ手段６を制御するが、このとき、監視制御手段７は、当該光伝送装置および他の光伝送装置の警報情報を収集し、警報情報に基づいてスイッチ手段６を制御する。
【００２０】
具体的には、監視制御手段７は、当該光伝送装置の分岐挿入手段２が適正に波長多重信号光を出力しているか、他の伝送装置が有する分岐挿入手段において、信号劣化が生じていないかなどの警報情報を収集する。そして、分岐挿入手段２が適正に波長多重信号光を出力し、他の伝送装置の分岐挿入手段において、信号劣化が生じていない場合、スイッチ手段６を、第２の光路３からの波長多重信号光を光増幅手段５に入力するように制御する。
【００２１】
このように光伝送装置は、当該光伝送装置および他の光伝送装置の警報情報を収集し、収集した警報情報に基づいてスイッチ手段６を切り替えるようにした。これによって、伝送品質が低下した状態の通信を防止することができる。
【００２２】
次に、本発明の実施の形態を図面を参照して詳細に説明する。
図２は、光伝送装置を適用したネットワーク構成例を示す図である。図には、ＩＬＡ構成およびＯＡＤＭ構成の切り替えが可能な光伝送装置（ＩＬＡ−ＯＡＤＭ切り替えノード）１１、ＩＬＡ構成のみを持った光伝送装置（ＩＬＡノード）１２〜１４、およびＯＡＤＭ構成のみを持った光伝送装置（ＯＡＤＭノード）１５，１６が示してある。ＩＬＡ−ＯＡＤＭ切り替えノード１１、ＩＬＡノード１２〜１４、およびＯＡＤＭノード１５，１６は、光ファイバで接続され、リングネットワークを構成している。なお、ＩＬＡ−ＯＡＤＭ切り替えノード１１が適用されるネットワーク形態は、リングネットワークである必要はなく、Point-to-Pointのネットワーク形態であってもよい。
【００２３】
図２のＩＬＡ−ＯＡＤＭ切り替えノード１１のブロック構成について説明する。
図３は、ＩＬＡ−ＯＡＤＭ切り替えノードのブロック構成図である。ＩＬＡ−ＯＡＤＭ切り替えノード１１は、監視制御部２１、カプラ２２，２９、ＯＳＣ（Optical Supervisory Channel）２３，２８、ＰｒｅＡＭＰ２４、送受信部２５、分岐挿入部２６、およびＰｏｓｔＡＭＰ２７を有している。なお、図には、ＩＬＡ−ＯＡＤＭ切り替えノード１１を監視・制御するための監視制御端末３１が示してある。
【００２４】
監視制御部２１は、監視制御端末３１からの指示を受けて、ＩＬＡ−ＯＡＤＭノード１１の監視・制御を行う。また、監視制御部２１は、ＯＳＣ２３から、伝送路や他のノードの状態に関する情報を受信する。また、監視制御部２１は、ＯＳＣ２８に、伝送路や他のノード、自己のノードの状態に関する情報を出力する。また、監視制御部２１は、送受信部２５、装着された分岐挿入部２６、ＰｒｅＡＭＰ２４、およびＰｏｓｔＡＭＰ２７と情報のやり取りを行い、制御を行う。
【００２５】
カプラ２２は、伝送路から受信された信号光を分岐してＯＳＣ２３とＰｒｅＡＭＰ２４とに出力する。
ＯＳＣ２３は、伝送路から受信した信号光に含まれている監視制御信号（ＯＳＣ）を取り出し、伝送路や他ノードに関する情報、ＷＤＭの信号光に含まれる運用チャネル情報などを取得する。ＯＳＣ２３は、取得した情報を監視制御部２１に出力する。
【００２６】
ＰｒｅＡＭＰ２４は、光増幅器２４ａおよびカプラ２４ｂを有している。光増幅器２４ａは、監視制御部２１の制御に基づいて、伝送路で低下した信号光を所定の光レベルにまで増幅する。光増幅器２４ａは、監視制御部２１の制御に基づいて、ＡＬＣ（Automatic Level Control）制御やＡＧＣ（Automatic Gain Control）制御を行う。カプラ２４ｂは、光増幅器２４ａから出力される信号光を分岐して、光ファイバで構成された光路Ａ１と光路Ａ２とに出力する。
【００２７】
送受信部２５は、他のネットワークから信号を受信し、Ｅ／Ｏ（Electric／Optical）変換して分岐挿入部２６へ出力する。また、分岐挿入部２６から出力される信号をＯ／Ｅ変換し、他のネットワークへ出力する。
【００２８】
分岐挿入部２６は、光路Ａ１の間に着脱可能に設けられ、信号光の分岐・挿入を行う。
図４は、分岐挿入部のブロック構成図である。分岐挿入部２６は、図に示すように分波器４１、光スイッチ（図中ＳＷ）４２ａ〜４２ｎ、ＶＯＡ（Variable Optical Attenuator）４３ａ〜４３ｎ、カプラ４４ａ〜４４ｎ、ＰＤ（Photo Diode）４５ａ〜４５ｎ、および合波器４６を有している。
【００２９】
分波器４１は、ＰｒｅＡＭＰ２４から出力されるＷＤＭの信号光を各チャネルの信号光に分波する。
光スイッチ４２ａ〜４２ｎは、信号光を分岐・挿入するかの切り替え処理を行う。
【００３０】
ＶＯＡ４３ａ〜４３ｎは、合波器４６に出力する信号光のレベルが所定のレベルとなるように制御する。
カプラ４４ａ〜４４ｎは、ＶＯＡ４３ａ〜４３ｎから出力される信号光を分岐し、ＰＤ４５ａ〜４５ｎと合波器４６とに出力する。
【００３１】
ＰＤ４５ａ〜４５ｎは、ＶＯＡ４３ａ〜４３ｎから出力される信号光の光レベルをモニタする。ＶＯＡ４３ａ〜４３ｎは、ＰＤ４５ａ〜４５ｎでモニタされた光レベルに応じて、光スイッチ４２ａ〜４２ｎから出力される信号光の光レベルを所定のレベルとなるように調整する。
【００３２】
合波器４６は、各チャネルの信号光を合波して、ＰｏｓｔＡＭＰ２７に出力する。
図３の説明に戻る。ＰｏｓｔＡＭＰ２７は、光スイッチ２７ａ、ＰＤ２７ｂ、および光増幅器２７ｃを有している。
【００３３】
光スイッチ２７ａは、２×２の光スイッチである。光スイッチ２７ａは、入力側に光路Ａ１と光路Ａ２とが接続され、出力側に光増幅器２７ｃとＰＤ２７ｂとが接続されている。光スイッチ２７ａは、監視制御部２１の制御に応じて、分岐挿入部２６（光路Ａ１）から出力される信号光を光増幅器２７ｃまたはＰＤ２７ｂに出力し、カプラ２４ｂ（光路Ａ２）から出力される信号光を光増幅器２７ｃまたはＰＤ２７ｂに出力する。
【００３４】
ＰＤ２７ｂは、光スイッチ２７ａから出力される信号光の光レベルを検出する。光スイッチ２７ａが、分岐挿入部２６の信号光をＰＤ２７ｂに出力し、カプラ２４ｂの信号光を光増幅器２７ｃに出力するように切り替えた場合、ＰＤ２７ｂは、分岐挿入部２６から出力される信号光の光レベルを検出できる。光スイッチ２７ａが、カプラ２４ｂの信号光をＰＤ２７ｂに出力し、分岐挿入部２６の信号光を光増幅器２７ｃに出力するように切り替えた場合、ＰＤ２７ｂは、カプラ２４ｂから出力される信号光の光レベルを検出できる。
【００３５】
光増幅器２７ｃは、監視制御部２１の制御に基づいて、光スイッチ２７ａから出力される信号光を、伝送路で伝送する光レベルにまで増幅する。光増幅器２７ｃは、監視制御部２１の制御に基づいて、ＡＬＣ制御やＡＧＣ制御を行う。
【００３６】
ＯＳＣ２８は、監視制御部２１の制御に応じて、伝送路や自他ノードに関する情報、ＷＤＭの信号光に含まれる運用チャネル情報などを監視制御信号に含める。ＯＳＣ２８は、この監視制御信号をカプラ２９に出力する。
【００３７】
カプラ２９は、ＰｏｓｔＡＭＰ２７から出力される信号光にＯＳＣ２８から出力される監視制御信号を合波して伝送路に出力する。
なお、信号光が分岐挿入部２６を通るルート（光路Ａ１）と通らないルート（光路Ａ２）とでは、光損失が大きく異なるので、光路Ａ２に光アッテネータを挿入し、光スイッチ２７ａの切り替え前後で、光増幅器２７ｃの入力における光レベルの変化を小さくすることができる。または、カプラ２４ｂの分岐比を、光路Ａ２側の損失が大きくなるような比率にすることで、光スイッチ２７ａの切り替え前後で、光増幅器２７ｃの入力における光レベルの変化を小さくすることができる。
【００３８】
以下、図３のＩＬＡ−ＯＡＤＭ切り替えノード１１の動作について簡単に説明するが、その前に図１２で説明した光伝送装置のＩＬＡ構成からＯＡＤＭ構成への切り替えによって生じうる問題について具体的に説明する。ＩＬＡ構成からＯＡＤＭ構成に切り替える場合、ＩＬＡ構成とＯＡＤＭ構成の制御方法などの違いにより、以下のような問題が生じうる。
【００３９】
１．累積ＡＳＥ（Amplified Spontaneous Emission）量の変化に起因する伝送品質劣化。図５は、分岐挿入部前後のＡＳＥを説明する図である。図の（Ａ）には、図１２で示した分岐挿入部１０２の前段の信号光レベル、図の（Ｂ）には、分岐挿入部１０２の後段の信号光レベルが示してある。図の（Ａ），（Ｂ）に示すように、分岐挿入部１０２は、信号光の波長間のＡＳＥレベルを低減する。すなわち、ＩＬＡ構成からＯＡＤＭ構成に切り替えることにより、信号光に含まれるＡＳＥレベルが変化する。
【００４０】
ここで、光増幅器は、信号光全体を増幅する。従って、分岐挿入部１０２の後段に設けられる光増幅器が、分岐挿入部１０２の挿入後、分岐挿入部１０２がない状態と同じ利得で信号光を増幅すると、信号光のＡＳＥに対する比率が大きくなるため、信号光の光レベルが大きくなる。すなわち、ＩＬＡ構成からＯＡＤＭ構成に切り替えたとき、ＡＳＥ量が変わるため、信号光の光レベルに変化が生じ伝送品質劣化が生じる。
【００４１】
２．累積ＡＳＥ量の変化に起因する断検出閾値のずれによる伝送品質劣化。光伝送装置では、信号光の光レベルを監視し、光ファイバの断検出を行う。従って、ある光伝送装置の前段にある光伝送装置（図１２の構成切り替えが可能な光伝送装置）が、ＩＬＡ構成からＯＡＤＭ構成に切り替えた場合、ＡＳＥ量が変わるため、信号光の光レベルが変化し、ある光伝送装置は、誤って光ファイバの断検出を行ってしまう場合がある。すなわち、光伝送装置がＩＬＡ構成からＯＡＤＭ構成に切り替えた場合、後段の光伝送装置の断検出閾値がずれることになる。
【００４２】
３．信号光の光レベル変化による伝送品質劣化。上述したように、ＩＬＡ構成からＯＡＤＭ構成に切り替えると、信号光の光レベルが変化する。一般に、分岐挿入部１０２の後段には、分岐挿入部１０２で低下した光レベルを増幅し、光レベルを一定制御するために光増幅器が設けられる。この光増幅器に入力される信号光の光レベルは、一定であることが望ましく、信号光の光レベルが変化すると伝送品質劣化が生じる。また、構成切り替えを行わない他の光伝送装置の分岐挿入部の送受信部において、信号劣化が生じている場合に、当該光伝送装置で構成切り替えを行うと、さらに伝送品質が低下する。
【００４３】
４．波長数の急激な変化によるＡＬＣ制御ずれによる伝送品質劣化。ＩＬＡ構成からＯＡＤＭ構成に切り替えた場合、分岐挿入部１０２の信号光の分岐・挿入によって、波長数が急激に変化する場合がある。分岐挿入部１０２の後段の光増幅器では、信号光の光レベルが一定となるように制御しており、信号光の波長数が変化すると、出力する光レベルが変化する。すなわち、ＩＬＡ構成からＯＡＤＭ構成の切り替えによる信号光の波長変化によって、伝送品質劣化が生じる。
【００４４】
５．瞬断によるＯＵＰＳＲ（Optical Unidirectional Path Switched Ring）、Ｓｐａｎスイッチ（伝送路冗長）の動作による伝送品質劣化。ＩＬＡ構成からＯＡＤＭ構成に切り替えるとき、短い時間ではあるが信号光の瞬断が生じる。この場合、切り替えを行った当該光伝送装置の光信号を受信している光伝送装置は、例えば、光ファイバ断が生じたと認識して、ＯＵＰＳＲのスイッチをＥＡＳＴ側からＷＥＳＴ側に切り替える場合がある。すなわち、当該光伝送装置が短い時間で構成切り替えを行っても、当該光伝送装置の光信号を受信している光伝送装置は、誤ってＯＵＰＳＲのスイッチを切り替えてしまい、このＯＵＰＳＲのスイッチ切り替えによる信号断の時間が長くなってしまう。
【００４５】
６．瞬断による断検出アラームの誤発出。ＩＬＡ構成からＯＡＤＭ構成に切り替えるとき、短い時間ではあるが信号光の瞬断が生じる。この場合、他の光伝送装置は、例えば、光ファイバ断でないにもかかわらず、構成切り替えによる瞬断によって、光ファイバ断の断検出アラームを誤発出してしまう。
【００４６】
７．分岐挿入部の故障による信号断。分岐挿入部１０２が故障しているにもかかわらず、ＩＬＡ構成からＯＡＤＭ構成に切り替えると、後段へ信号光が出力されなくなってしまう。
【００４７】
以下、図３のＩＬＡ−ＯＡＤＭ切り替えノード１１の動作について説明する。ＩＬＡ−ＯＡＤＭ切り替えノード１１をＩＬＡ構成で使用する場合、ＩＬＡ−ＯＡＤＭ切り替えノード１１には、分岐挿入部２６を装着しない。従って、監視制御部２１は、光路Ａ２からの信号光を光増幅器２７ｃに、光路Ａ１から出力される信号光をＰＤ２７ｂに出力するように光スイッチ２７ａを制御する。
【００４８】
ＩＬＡ−ＯＡＤＭ切り替えノード１１をＯＡＤＭ構成で使用する場合、光路Ａ１の間に分岐挿入部２６を装着する。そして、オペレータは、監視制御端末３１を用いて、ＩＬＡ−ＯＡＤＭ切り替えノード１１に切り替え要求を出す。ＩＬＡ−ＯＡＤＭ切り替えノードの監視制御部２１は、監視制御端末３１からの切り替え要求に基づいて、光スイッチ２７ａを切り替える。
【００４９】
ただし、監視制御部２１は、光スイッチ２７ａを切り替える際、ＰＤ２７ｂによって、装着した分岐挿入部２６から出力される信号光の光レベルを確認する。このように、分岐挿入部２６から出力される信号光の光レベルの確認を行って、光スイッチ２７ａを切り替えることにより、ＩＬＡ構成からＯＡＤＭ構成への切り替えによる信号光のレベル変化を検知できる。また、分岐挿入部２６が故障していないことを確認でき、後段への信号光の出力断を防止することができる（上記３の前半、４、７の問題を解消できる）。
【００５０】
また、監視制御部２１は、光スイッチ２７ａを切り替える際、ＯＳＣ２３よりネットワーク内の伝送路および各ノードに関する警報情報を収集し、異常が発生していないか確認する。このように、ネットワーク内の警報情報を確認し、ネットワーク全体が切り替え可能な状態になっているか確認して光スイッチ２７ａを切り替えることにより、伝送品質の劣化を防止することができる（上記３の後半の問題を解消できる）。
【００５１】
また、監視制御部２１は、上記確認によって、ＩＬＡ構成からＯＡＤＭ構成への切り替えが可能であると判断した場合、ネットワーク内の各ノードに構成を切り替える旨を通知するようにＯＳＣ２８を制御する。このように、各ノードに構成を切り替える旨を通知することにより、各ノードはＡＳＥ量の変化や断検出閾値が変化することを予め認識することができ、信号光の伝送品質劣化を防止することができる。また、各ノードは、この通知を受信することによって、構成切り替えによる信号光の瞬断が発生することを予め認識でき、ＯＵＰＳＲやＳｐａｎスイッチの動作や断検出アラーム等の誤発出を抑制できる（上記１、２、５、６の問題を解消できる）。
【００５２】
また、監視制御部２１は、光スイッチ２７ａの切り替え後、自ノードおよび他ノードからの警報を収集し、異常が発生している場合、光スイッチ２７ａを切り戻す。このように、光スイッチ２７ａの切り替え後の異常検出によって、光スイッチ２７ａを切り戻すことにより、光スイッチ２７ａを切り替えた後の信号劣化を抑制することができる。
【００５３】
次に、ＩＬＡ構成およびＯＡＤＭ構成の切り替え動作についてシーケンス図を用いて詳細に説明する。
図６，７は、ＩＬＡ構成およびＯＡＤＭ構成の切り替え動作を説明するシーケンス図である。図には、監視制御端末３１、ＩＬＡ−ＯＡＤＭ切り替えノード１１、およびＩＬＡ−ＯＡＤＭ切り替えノード１１とともにネットワークを構成しているＩＬＡノードおよびＯＡＤＭノードのシーケンスが示してある。
【００５４】
ＩＬＡ−ＯＡＤＭ切り替えノード１１は、ＩＬＡ構成の状態にあり、通常の運用状態（信号光を伝送する状態）にあるとする（ステップＳ１ｂ）。また、ＩＬＡノードおよびＯＡＤＭノードも、通常の運用状態にあるとする（ステップＳ１ｃ）。
【００５５】
監視制御端末３１は、ＩＬＡ−ＯＡＤＭ切り替えノード１１をＯＡＤＭ構成に切り替えるため、ＩＬＡ−ＯＡＤＭ切り替えノード１１に対し、切り替え要求を出力する（ステップＳ１ａ）。なお、ＩＬＡ−ＯＡＤＭ切り替えノード１１には、すでに分岐挿入部２６が装着されているとする。
【００５６】
ＩＬＡ−ＯＡＤＭ切り替えノード１１は、監視制御端末３１から切り替え要求を受け付ける（ステップＳ２ｂ）。
ＩＬＡ−ＯＡＤＭ切り替えノード１１は、監視制御端末３１から切り替え要求を受け付けると、ＩＬＡノードおよびＯＡＤＭノードから警報情報を収集するため、その旨をＩＬＡノードおよびＯＡＤＭノードに要求する（ステップＳ３ｂ）。
【００５７】
ＩＬＡノードおよびＯＡＤＭノードは、ＩＬＡ−ＯＡＤＭ切り替えノード１１からの警報情報収集要求に応じて、警報確認を行う（ステップＳ２ｃ）。例えば、ＩＬＡノードおよびＯＡＤＭノードは、自己が有する光増幅器や分岐挿入部（ＯＡＤＭノードの場合）などで故障警報を発出していないか、ファイバ外れなどの警報を発出していないか、送受信部（ＯＡＤＭノードの場合）で信号劣化（例えば、ＢＥＲ：Bit Error Rate）などの警報が発出していないか、上流から送信されてきた波長数情報と、分岐挿入部で測定された波長数情報との間に相違がある旨の警報を発出していないかの確認を行う。
【００５８】
なお、各ノードからの警報収集は、監視制御部２１からの切り替え要求をトリガに行うのではなく、常時、ＩＬＡノードとＯＡＤＭノードとが、ＩＬＡ−ＯＡＤＭ切り替えノード１１に送信するように構成してもよい。
【００５９】
ＩＬＡ−ＯＡＤＭ切り替えノード１１も自己の警報確認を行う（ステップＳ４ｂ）。例えば、ＩＬＡ−ＯＡＤＭ切り替えノード１１は、ＰＤ２７ｂの検出する光レベルに基づいて、分岐挿入部２６が接続されているか確認する。また、装置内のファイバ外れの警報が発出していないか確認する。
【００６０】
また、分岐挿入部２６、ＰｒｅＡＭＰ２４、およびＰｏｓｔＡＭＰ２７に故障の警報が発出していないか確認する。
また、分岐挿入部２６にＩＬＡ構成時と同じ波長数設定を行い、全チャネルをスルー（分岐・挿入を行わない）に設定した状態で、ＰＤ２７ｂに入力される信号光の光レベルをモニタする。そして、ＩＬＡ構成時におけるＰｏｓｔＡＭＰ２７の入力部における光レベルと、ＰＤ２７ｂで検出した分岐挿入部２６の出力における光レベルとの差分が、ある一定値以下であることの確認を行う。または、監視制御端末３１から受信した波長数と、ＰＤ２７ｂで検出した光レベルとから、１波あたりの入力レベルを算出し、この光レベルが規定範囲内であることを確認する。
【００６１】
また、ＩＬＡ−ＯＡＤＭ切り替えノード１１は、上流から送信されてきた波長数情報または監視制御端末３１から受信した波長数情報と、分岐挿入部２６のＰＤ４５ａ〜４５ｎで検出された光レベルに基づいて測定される波長数との間に相違がないか確認する。
【００６２】
なお、ＰｏｓｔＡＭＰ２７の入力部には、図示していないが、ＡＧＣ制御およびＡＬＣ制御などを行うためにＰＤが具備されており、前述のＩＬＡ構成時におけるＰｏｓｔＡＭＰ２７の入力部における光レベルは、このＰＤによって測定することができる。また、監視制御部２１は、予め光スイッチ２７ａの損失を取得し、ＰＤ２７ｂで検出した光レベルを、光増幅器２７ｃの入力部における光レベルに換算することもできる。例えば、光スイッチ２７ａの光路Ａ１のポートとＰＤ２７ｂのポートとの間の損失と、光路Ａ２のポートと光増幅器２７ｃのポートとの間の損失とから、ＰＤ２７ｂで検出した光レベルを、光増幅器２７ｃの入力部における光レベルに換算する。
【００６３】
ＩＬＡ−ＯＡＤＭ切り替えノード１１は、自ノードおよび他のノードから警報が発出されているか否か判断する（ステップＳ５ｂ）。自ノードおよび他のノードから１つでも警報が発出されている場合には、ＩＬＡ構成からＯＡＤＭ構成への切り替えが不可能である旨を監視制御部２１に通知する（ステップＳ２ａ）。この場合、ＩＬＡ−ＯＡＤＭ切り替えノード１１は、ＩＬＡ構成からＯＡＤＭ構成への切り替えを行わない。
【００６４】
ＩＬＡ−ＯＡＤＭ切り替えノード１１は、自ノードおよび他のノードから１つも警報が発出されていない場合には、自ノードにおいて切り替え準備を行うとともに、各ノードへ切り替え準備要求を行う（ステップＳ６ｂ）。
【００６５】
ＩＬＡ−ＯＡＤＭ切り替えノード１１は、光スイッチ２７ａの切り替えに備え、所定の制御を行う（ステップＳ７ｂ）。例えば、光増幅器２４ａ，２７ｃをＡＬＣ制御からＡＧＣ制御に切り替える。これは、光増幅器２４ａ，２７ｃの増幅作用が光スイッチ２７ａを切り替えたときの波長変化にすばやく追従できるようにするためである。また、サージの発生を低減するためである。また、光スイッチ２７ａの切り替えによる、信号断の警報を出力しないように警報をマスクする。
【００６６】
ＩＬＡノードおよびＯＡＤＭノードは、ステップＳ６ｂの切り替え準備の要求を受けて、所定の制御を行う（ステップＳ３ｃ）。例えば、光増幅器をＡＬＣからＡＧＣに切り替える。また、光スイッチ２７ａの切り替えによる信号断の警報を出力しないように警報をマスクする。さらに、入力する信号光の一時的な入力断により、ＯＵＰＳＲやＳｐａｎスイッチが動作しないように制御する。
【００６７】
例えば、ＯＵＰＳＲ、Ｓｐａｎスイッチにおいて、ＩＬＡ構成からＯＡＤＭ構成への切り替え時間よりも長い保持時間（ＯＵＰＳＲのスイッチを切り替えない時間）を設け、その保護時間よりも長い入力断の状態が続いた場合には、ＯＵＰＳＲ、Ｓｐａｎスイッチのスイッチを冗長側に切り替えるようにする。例えば、ＩＬＡ構成からＯＡＤＭ構成への切り替え時間を５０ｍｓｅｃとすると、保護時間を１００ｍｓｅｃとなるように設定する。
【００６８】
ＩＬＡ−ＯＡＤＭ切り替えノード１１は、光スイッチ２７ａの切り替え準備が完了したことを認識する（ステップＳ８ｂ）。ＩＬＡノードおよびＯＡＤＭノードも光スイッチ２７ａの切り替えに備えた準備が完了した旨をＩＬＡ−ＯＡＤＭ切り替えノード１１に通知する（ステップＳ４ｃ）。
【００６９】
ＩＬＡ−ＯＡＤＭ切り替えノード１１は、ステップＳ８ｂおよびステップＳ４ｃの準備完了の旨を受けて、光スイッチ２７ａの切り替えを実行する（ステップＳ９ｂ）。具体的には、光路Ａ１からの信号光が光増幅器２７ｃに出力され、光路Ａ２からの信号光がＰＤ２７ｂに出力されるように光スイッチ２７ａを切り替える。
【００７０】
ＩＬＡ−ＯＡＤＭ切り替えノード１１は、光スイッチ２７ａの切り替え後の状況確認を行う（ステップＳ１０ｂ）。例えば、光増幅器２７ｃの入力部の光レベルが規定値内であることを確認する。光レベルが規定値でない場合は、ＩＬＡ−ＯＡＤＭ切り替えノード１１は、警報を発出する。
【００７１】
ＩＬＡノードおよびＯＡＤＭノードは、光スイッチ２７ａが切り替えられた後の状況確認を行う（ステップＳ５ｃ）。例えば、光増幅器、分岐挿入部などの各入力部において、信号光の光レベルが所定のレベルにあるか確認する。また、送受信部で信号の劣化（例えば、ＢＥＲ）が生じてないか確認する。光レベルが所定のレベルにない場合、または、送受信部の信号に劣化が生じている場合は、ＩＬＡノードおよびＯＡＤＭノードは、警報を発出する。
【００７２】
ＩＬＡ−ＯＡＤＭ切り替えノード１１は、自己、ＩＬＡノードおよびＯＡＤＭノードが警報を発出したか否か判断する（ステップＳ１１ｂ）。
ＩＬＡ−ＯＡＤＭ切り替えノード１１は、自己、ＩＬＡノードおよびＯＡＤＭノードから警報が発出された場合、光スイッチ２７ａを元の状態に切り戻す（ステップＳ１２ｂ）。具体的には、光路Ａ２からの信号光が光増幅器２７ｃに出力され、光路Ａ１からの信号光がＰＤ２７ｂに出力されるように光スイッチ２７ａを切り替える。
【００７３】
ＩＬＡ−ＯＡＤＭ切り替えノード１１は、ＩＬＡノードおよびＯＡＤＭノードに対し通常の運用状態復帰要求を行う（ステップＳ１３ｂ）。
ＩＬＡ−ＯＡＤＭ切り替えノード１１は、自ノードを通常の運用状態に戻すための制御を行う（ステップＳ１４ｂ）。例えば、光増幅器２４ａ，２７ｃをＡＬＣ制御に戻す。また、警報マスクを解除し、異常が発生した場合警報を発出できるようにする。これにより、ＩＬＡ−ＯＡＤＭ切り替えノード１１は、通常の運用状態に戻る（ステップＳ１５ｂ）。
【００７４】
ＩＬＡノードおよびＯＡＤＭノードは、ステップＳ１３ｂの運用状態復帰要求に応じて、装置を通常の運用状態に戻す（ステップＳ６ｃ）。例えば、光増幅器をＡＬＣ制御に戻す。また、警報マスクを解除し、異常が発生した場合警報を発出できるようにする。また、ＯＵＰＳＲ、Ｓｐａｎスイッチの保護を解除し、信号断が発生した場合には、スイッチを冗長側に切り替えできるようにする。これにより、ＩＬＡノードおよびＯＡＤＭノードは、通常の運用状態に戻る（ステップＳ７ｃ）。
【００７５】
このように、ＩＬＡ−ＯＡＤＭ切り替えノード１１は、自己、ＩＬＡノード、およびＯＡＤＭノードの警報情報を収集して構成切り替えを行い、また、構成切り替えを行う際に、ＩＬＡノードおよびＯＡＤＭノードにその旨を通知することにより、信号光の伝送品質の低下を防止することができる。
【００７６】
次に、ＩＬＡ構成からＯＡＤＭ構成への切り替え時に、波長数に変化が生じる場合について説明する。ＩＬＡ構成からＯＡＤＭ構成へ切り替えるとき、信号光の光レベルの急激な変化による品質劣化を防止するため、図６，７で説明したように、ＩＬＡ−ＯＡＤＭ切り替えノード１１の分岐挿入部２６では、全チャネルの波長を全てスルーの設定にして、下流に対して波長数の変化が見えないようにすべきである。ただし、多少の信号劣化が許容できる場合や、分岐・挿入を初めから行いたい場合は、以下で説明する方法を用いれば分岐挿入を行ったうえで、ＩＬＡ構成からＯＡＤＭ構成への切り替え時の伝送品質劣化を低減することが可能である。
【００７７】
図８，９は、分岐挿入部が信号光の分岐・挿入を行う場合のＩＬＡ構成およびＯＡＤＭ構成の切り替え動作を説明するシーケンス図である。図８，９において、図６，７と同じものには同じ符号を付し、その説明を省略する。
【００７８】
ＩＬＡ構成からＯＡＤＭ構成への切り替え時に、分岐挿入部２６で信号光の分岐・挿入が行われる場合、ＩＬＡ−ＯＡＤＭ切り替えノード１１の処理は、ステップＳ２１ｂの処理が図６，７のステップＳ４ｂと異なる。ＩＬＡ−ＯＡＤＭ切り替えノード１１は、信号光の分岐・挿入が適正に行うことができるか確認するため、分岐挿入部２６、ＰｒｅＡＭＰ２４、およびＰｏｓｔＡＭＰ２７の故障の警報に加え、送受信部２５の故障の警報が発出していないか確認する。
【００７９】
また、ＩＬＡ構成時とＯＡＤＭ構成の切り替え前後では、分岐挿入部２６の分岐・挿入によって信号光の波長数が変わるため、単純に、ＩＬＡ構成時の光レベルと、切り替え前のＰＤ２７ｂの光レベル（分岐挿入部２６の光レベル）とを比較することはできない。そこで、ＩＬＡ−ＯＡＤＭ切り替えノード１１は、ＰＤ２７ｃで検出した分岐挿入部２６の出力の光レベルを波長数で除算し、１波あたりの入力レベルが規定のレベル内であることを確認する。なお、分岐挿入部２６の分岐・挿入する波長数の情報は、監視制御部２１が分岐挿入部２６から取得する。または、監視制御端末３１から取得する。ステップＳ２１ｂのその他の処理は、図６，７で説明したステップＳ４ｂと同様である。
【００８０】
ＩＬＡ−ＯＡＤＭ切り替えノード１１の処理は、ステップＳ２２ｂの処理が図６，７のステップ７ｂと異なる。ＩＬＡ−ＯＡＤＭ切り替えノード１１は、ＩＬＡ構成からＯＡＤＭ構成への切り替え後の波長数を、分岐挿入部２６または監視制御端末３１から取得しておき、その波長数におけるＡＳＥの変化量を計算しておく。すなわち、ＩＬＡ構成からＯＡＤＭ構成に切り替えた場合、図５で説明したように、分岐挿入部２６によって、ＡＳＥ量が変化する。監視制御部２１は、予め波長数を取得し、ＡＳＥ量の変化に対する光増幅器２７ｃの利得を計算しておく。ステップＳ２２ｂのその他の処理は、図６，７で説明したステップＳ７ｂと同様である。
【００８１】
ＩＬＡノードおよびＯＡＤＭノードの処理は、ステップＳ２１ｃの処理が図６，７のステップＳ３ｃと異なる。ＩＬＡノードおよびＯＡＤＭノードは、ＩＬＡ−ＯＡＤＭ切り替えノード１１がＩＬＡ構成からＯＡＤＭ構成へ切り替えた後の波長数を、ＩＬＡ−ＯＡＤＭ切り替えノード１１から取得しておき、その波長数におけるＡＳＥの変化量を計算しておく。すなわち、ＩＬＡ−ＯＡＤＭ切り替えノード１１が、ＩＬＡ構成からＯＡＤＭ構成に切り替えた場合、図５で説明したように、分岐挿入部２６によって、ＡＳＥ量が変化し、下流側に存在するＩＬＡノードおよびＯＡＤＭノードにおいても、ＡＳＥ量が変化する。ＩＬＡノードおよびＯＡＤＭノードは、予め波長数を取得して、ＡＳＥ量の変化を計算しておき、ＡＳＥ量の変化に対する光増幅器の利得を計算しておく。また、新たな断検出閾値を算出しておく。ステップＳ２１ｃのその他の処理は、図６，７で説明したステップＳ３ｃと同様である。
【００８２】
ＩＬＡ−ＯＡＤＭ切り替えノード１１の処理は、ステップＳ２３ｂの処理が図６，７のステップＳ１０ｂと異なる。ＩＬＡ−ＯＡＤＭ切り替えノード１１は、光スイッチ２７ａの切り替え後の状況確認を行う際、光増幅器２７ｃに対して、切り替え後の新しい波長数と、ステップＳ２２ｂで算出したＡＳＥの変化量とを反映した利得を設定する。ステップＳ２３ｂのその他の処理は、図６，７で説明したステップＳ１０ｂと同様である。
【００８３】
ＩＬＡノードおよびＯＡＤＭノードの処理は、ステップＳ２２ｃの処理が図６，７のステップＳ５ｃと異なる。ＩＬＡノードおよびＯＡＤＭノードは、光スイッチ２７ａの切り替え後の状況確認を行う際、光増幅器に対して、切り替え後の新しい波長数と、ステップＳ２１ｃで算出したＡＳＥの変化量とを反映した利得を設定する。また、新たな断検出閾値を設定する。ステップＳ２２ｃのその他の処理は、図６，７で説明したステップＳ５ｃと同様である。
【００８４】
このように、ＩＬＡ構成からＯＡＤＭ構成への切り替えの際に、上流のノードから順次波長数を取得して、ＡＳＥの変化量を計算しながら光増幅器に反映するよりも、切り替える前に波長数を予め取得して、ＡＳＥの変化量を計算しておくことにより、より早く光増幅器の制御を行うことができ、信号劣化となる時間を短縮させることができる。
【００８５】
次に、分岐挿入部２６を取り外す場合について説明する。回線が不要になった場合などに、ＯＡＤＭ構成からＩＬＡ構成に変更する場合もある。
図１０，１１は、ＯＡＤＭ構成からＩＬＡ構成への切り替え動作を説明するシーケンス図である。図１０，１１において、図６，７と同じものには同じ符号を付し、その説明を省略する。
【００８６】
ＯＡＤＭ構成からＩＬＡ構成へ切り替える場合、光路Ａ２のファイバが適正に接続されているか否かが問題となる。従って、ステップＳ３１ｂにおいて、ＩＬＡ−ＯＡＤＭ切り替えノード１１は、ＩＬＡ側のファイバ（光路Ａ２のファイバ）が適正に接続されているか否か確認する。
【００８７】
また、ＩＬＡ−ＯＡＤＭ切り替えノード１１は、ＩＬＡ側から出力される光レベルが適正であるか確認する。例えば、監視制御端末３１から取得した波長数と、ＰＤ２７ｂで検出した光路Ａ２の光レベルとから、１波あたりの光レベルを算出し、適正な光レベルが光路Ａ２から出力されているか確認する。
【００８８】
その他の処理においては、図６，７と同様である。従って、例えば、ＯＡＤＭ構成からＩＬＡ構成への切り替え時に生じる信号光の瞬断等に備え、他のノードから警報情報を収集したり、警報マスクを行ったりする。
【００８９】
このように、回線が不要になった場合など、ＯＡＤＭ構成からＩＬＡ構成に戻す場合においても、伝送品質の低下を防止することができる。
（付記１）  波長多重信号光を伝送する光伝送装置において、
第１の光路と、
前記波長多重信号光を分岐・挿入する分岐挿入手段が着脱可能な第２の光路と、
伝送路から受信した前記波長多重信号光を前記第１の光路と前記第２の光路とに分岐して出力する分岐手段と、
前記第１の光路と前記第２の光路とから出力される前記波長多重信号光の一方を光増幅手段に出力するスイッチ手段と、
当該光伝送装置および他の光伝送装置の警報情報を収集し、前記警報情報に基づいて前記第２の光路からの前記波長多重信号光を前記光増幅手段に入力するように前記スイッチ手段を制御する監視制御手段と、
を有することを特徴とする光伝送装置。
【００９０】
（付記２）  前記監視制御手段は、前記第２の光路から出力される前記波長多重信号光を前記光増幅手段に入力するように前記スイッチ手段を制御した後に前記警報情報を受信した場合には、前記第１の光路から出力される前記波長多重信号光を前記光増幅手段に入力するように前記スイッチ手段を制御することを特徴とする付記１記載の光伝送装置。
【００９１】
（付記３）  前記監視制御手段は、前記第２の光路から出力される前記波長多重信号光を前記光増幅手段に入力するように前記スイッチ手段を制御するとき、その旨の切り替え情報を前記他の光伝送装置に送信することを特徴とする付記１記載の光伝送装置。
【００９２】
（付記４）  前記スイッチ手段は、入力側に前記第１の光路と前記第２の光路とが接続され、出力側に前記光増幅手段と前記波長多重信号光の光レベルを検出する光レベル検出手段とが接続された２×２スイッチであることを特徴とする付記１記載の光伝送装置。
【００９３】
（付記５）  前記監視制御手段は、前記分岐挿入手段が装着された前記第２の光路と前記光レベル検出手段とを接続するように前記２×２スイッチを制御して前記分岐挿入手段の出力の前記光レベルを検出し、検出した前記光レベルと前記警報情報とに基づいて、前記第２の光路と前記光増幅手段とを接続するように前記２×２スイッチの切り替えを制御することを特徴とする付記４記載の光伝送装置。
【００９４】
（付記６）  前記監視制御手段は、前記他の光伝送装置または監視制御端末から受信した波長数情報と、前記分岐挿入手段から取得した前記波長数情報とが異なる場合、前記第１の光路からの前記波長多重信号光を前記光増幅手段に入力するように前記スイッチ手段を制御することを特徴とする付記１記載の光伝送装置。
【００９５】
（付記７）  前記監視制御手段は、前記分岐挿入手段の出力の光レベルと、監視制御端末から受信した波長数情報とに基づいて、１波あたりの前記光レベルを算出し、算出した前記光レベルが所定レベルにある場合、前記第２の光路からの前記波長多重信号光を前記光増幅手段に入力するように前記スイッチ手段を制御することを特徴とする付記１記載の光伝送装置。
【００９６】
（付記８）  前記監視制御手段は、前記光増幅手段に入力されている前記波長多重信号光の前記光レベルと、前記光レベル検出手段で検出された前記分岐挿入手段の出力の前記光レベルとの差分が所定値内である場合、前記第２の光路の出力を前記光増幅手段と接続するように前記２×２スイッチの切り替えを制御することを特徴とする付記４記載の光伝送装置。
【００９７】
（付記９）  前記監視制御手段は、前記光レベル検出手段で検出した前記分岐挿入手段の出力の前記光レベルに対し、予め測定しておいた前記２×２スイッチの損失分を考慮することを特徴とする付記８記載の光伝送装置。
【００９８】
（付記１０）  前記監視制御手段は、前記他の光伝送装置が有する前記分岐挿入手段の信号劣化情報を収集し、前記信号劣化情報に基づいて、前記第２の光路からの前記波長多重信号光を前記光増幅手段に入力するように前記スイッチ手段を制御することを特徴とする付記１記載の光伝送装置。
【００９９】
（付記１１）  前記光増幅手段は、出力一定制御と利得一定制御とを行い、
前記監視制御手段は、前記第２の光路からの前記波長多重信号光を前記光増幅手段に入力するように前記スイッチ手段を制御する際、前記光増幅手段を前記出力一定制御から前記利得一定制御に切り替えることを特徴とする付記１記載の光伝送装置。
【０１００】
（付記１２）  前記他の光伝送装置は、前記切り替え情報を受信した場合、前記警報情報の出力をマスクすることを特徴とする付記３記載の光伝送装置。
（付記１３）  前記他の光伝送装置は、ＯＵＰＳＲの機能を有しており、前記切り替え情報を受信した場合、前記ＯＵＰＳＲの冗長切り替えを行わないことを特徴とする付記３記載の光伝送装置。
【０１０１】
（付記１４）  前記他の光伝送装置は、前記スイッチ手段による前記波長多重信号光の断よりも長い断状態が続いた場合、前記ＯＵＰＳＲの冗長切り替えを行うことを特徴とする付記１３記載の光伝送装置。
【０１０２】
（付記１５）  前記他の光伝送装置は、Ｓｐａｎスイッチの機能を有しており、前記切り替え情報を受信した場合、前記Ｓｐａｎスイッチの切り替えを行わないことを特徴とする付記３記載の光伝送装置。
【０１０３】
（付記１６）  前記監視制御手段は、前記スイッチ手段の制御が完了した旨の完了情報を前記他の光伝送装置に送信し、
前記他の光伝送装置は、前記完了情報を受信した場合、前記警報情報のマスクを解除することを特徴とする付記１２記載の光伝送装置。
【０１０４】
（付記１７）  前記監視制御手段は、前記第２の光路に装着された前記分岐挿入手段または監視制御端末から取得した前記分岐挿入手段の運用する波長数と、前記光レベル検出手段で検出した前記分岐挿入手段の前記光レベルとに基づいて、１波あたりの前記光レベルを算出することを特徴とする付記４記載の光伝送装置。
【０１０５】
（付記１８）  前記監視制御手段は、前記分岐挿入手段または監視制御端末から前記スイッチ手段を切り替え制御した後の波長数を取得しておき、前記他の光伝送装置に送信することを特徴とする付記１記載の光伝送装置。
【０１０６】
（付記１９）  当該光伝送装置および前記他の光伝送装置は、前記スイッチ手段の切り替え前に前記波長数からＡＳＥの変化量を算出するＡＳＥ量算出手段を有することを特徴とする付記１８記載の光伝送装置。
【０１０７】
（付記２０）  前記監視制御手段は、前記第２の光路と前記光増幅手段とを接続するように前記２×２スイッチを制御した後、前記第１の光路と前記光増幅手段とを接続するように前記２×２スイッチの制御を戻す場合、監視制御端末から取得した波長数と、前記光レベル検出手段で検出した前記第１の光路から出力される前記波長多重信号光とに基づいて、１波あたりの前記光レベルを算出することを特徴とする付記４記載の光伝送装置。
【図面の簡単な説明】
【０１０８】
【図１】光伝送装置の概要を示した図である。
【図２】光伝送装置を適用したネットワーク構成例を示す図である。
【図３】ＩＬＡ−ＯＡＤＭ切り替えノードのブロック構成図である。
【図４】分岐挿入部のブロック構成図である。
【図５】分岐挿入部前後のＡＳＥを説明する図である。
【図６】ＩＬＡ構成およびＯＡＤＭ構成の切り替え動作を説明するシーケンス図である。
【図７】ＩＬＡ構成およびＯＡＤＭ構成の切り替え動作を説明するシーケンス図である。
【図８】分岐挿入部が信号光の分岐・挿入を行う場合のＩＬＡ構成およびＯＡＤＭ構成の切り替え動作を説明するシーケンス図である。
【図９】分岐挿入部が信号光の分岐・挿入を行う場合のＩＬＡ構成およびＯＡＤＭ構成の切り替え動作を説明するシーケンス図である。
【図１０】ＯＡＤＭ構成からＩＬＡ構成への切り替え動作を説明するシーケンス図である。
【図１１】ＯＡＤＭ構成からＩＬＡ構成への切り替え動作を説明するシーケンス図である。
【図１２】分岐挿入部を追加できる光伝送装置のブロック構成図である。
【符号の説明】
【０１０９】
１  第１の光路
２  分岐挿入手段
３  第２の光路
４  分岐手段
５  光増幅手段
６  スイッチ手段
７  監視制御手段
【図１】
2008104008.tif 000003
【図２】
2008104008.tif 000004
【図３】
2008104008.tif 000005
【図４】
2008104008.tif 000006
【図５】
2008104008.tif 000007
【図６】
2008104008.tif 000008
【図７】
2008104008.tif 000009
【図８】
2008104008.tif 000010
【図９】
2008104008.tif 000011
【図１０】
2008104008.tif 000012
【図１１】
2008104008.tif 000013
【図１２】
2008104008.tif 000014